【事件の表示】
　特願２０１５−２１１９７３号「遊技機」拒絶査定不服審判事件〔平成２８年　２月１８日出願公開、特開２０１６−　２６７８０号〕について、次のとおり審決する。
【結　論】
　本件審判の請求は、成り立たない。
【理　由】
第１　手続の経緯
　本願は、平成２３年７月８日に出願した特願２０１１−１５２３５９号の一部を平成２６年２月２６日に新たな特許出願（特願２０１４−３５４８２号）とし、さらにその一部を平成２７年１０月２８日に新たな特許出願（特願２０１５−２１１９７３号）としたものであって、平成２８年８月２９日付けで拒絶の理由が通知され、平成２８年１１月２日に意見書及び手続補正書が提出されたところ、平成２９年４月２８日付け（発送日：平成２９年５月９日）で拒絶査定がなされ、それに対して、平成２９年７月２８日に拒絶査定不服審判の請求がなされると同時に手続補正がなされたものである。
第２　平成２９年７月２８日付け手続補正についての補正却下の決定
［補正却下の決定の結論］　
　平成２９年７月２８日付け手続補正（以下、「本件補正」という。）を却下する。
［理由］　
１　本件補正の概要
　本件補正は、特許請求の範囲の請求項１の記載の補正を含む補正であり、本件補正前の平成２８年１１月２日付けの手続補正書における請求項１の記載と、本件補正後の特許請求の範囲の請求項１の記載は、それぞれ次のとおりである。
（補正前：平成２８年１１月２日付け手続補正）
「【請求項１】
　可変表示を行い、遊技者にとって有利な有利状態に制御可能な遊技機であって、
　演出態様に応じて前記有利状態に制御される可能性を報知する報知演出を実行可能な報知演出実行手段と、
　前記報知演出が終了した後の特定タイミングにて、前記報知演出実行手段により実行された前記報知演出の演出態様を示す演出を表示した後に、該表示した演出態様に対して所定の作用を実行することにより前記有利状態に制御される可能性がより高い演出態様を示す演出に変更して表示する変更演出実行手段とを備え、
　前記報知演出実行手段は、前記報知演出として、演出態様を１段階から複数段階まで段階的に変化させ、前記有利状態に制御される場合に前記有利状態に制御されない場合よりも高い割合で多い段階まで演出態様が変化する予告演出を実行可能であり、
　前記予告演出の段階数に応じて、特定演出の実行割合が異なり、
　前記変更演出実行手段は、前記予告演出の段階数を示す演出を、より多い段階数を示す演出に変更して表示することにより、前記有利状態に制御される可能性が高いことを報知する、
　ことを特徴とする遊技機。」
（補正後：平成２９年７月２８日付け手続補正）
「【請求項１】
Ａ　可変表示を行い、遊技者にとって有利な有利状態に制御可能な遊技機であって、
Ｂ　演出態様に応じて前記有利状態に制御される可能性を報知する報知演出を実行可能な報知演出実行手段と、
Ｃ　前記報知演出が終了した後の特定タイミングにて、
遊技媒体の検出を条件とせずに、
他の表示画像の作用による演出
Ｄ　前記報知演出実行手段は、前記報知演出として、演出態様を１段階から複数段階まで段階的に変化させ、前記有利状態に制御される場合に前記有利状態に制御されない場合よりも高い割合で多い段階まで演出態様が変化する予告演出を実行可能であり、
Ｅ　前記予告演出の段階数に応じて、特定演出の実行割合が異なり、
Ｆ　前記変更演出実行手段は、前記予告演出の段階数を示す演出を、より多い段階数を示す演出に変更して表示することにより、前記有利状態に制御される可能性が高いことを報知する、
　ことを特徴とする遊技機。」
（下線部は補正箇所を示す。ただし、Ａ〜Ｆは分説するために当審で付した。）
２　補正の適否
　本件補正に係る補正事項は、補正前の請求項１における「変更演出実行手段」が実行する、「前記報知演出実行手段により実行された前記報知演出の演出態様を示す演出を表示した後に、該表示した演出態様に対して所定の作用を実行することにより前記有利状態に制御される可能性がより高い演出態様を示す演出に変更して表示する」ことに関して、「遊技媒体の検出を条件とせずに」実行することを限定し、かつ「所定の作用」を「他の表示画像の作用による演出」に限定するものである。
　また、本件補正前の特許請求の範囲の請求項１に記載された発明と補正後の特許請求の範囲の請求項１に記載された発明の産業上の利用分野及び解決しようとする課題は同一である。　
　したがって、本件補正は、特許法第１７条の２第５項第２号に掲げる特許請求の範囲の減縮を目的とするものである。
　そして、上記補正事項は、願書に最初に添付した明細書の段落【０３４６】、【０３８５】−【０３９５】、又は図面の図３５、図３６、図４０、図４１等との関係において、新たな技術的事項を導入するものではないから、願書に最初に添付した明細書、特許請求の範囲又は図面に記載した事項の範囲内においてしたものであり、特許法第１７条の２第３項の規定に適合し、新規事項を追加するものではない。
３　独立特許要件について
　本件補正後の請求項１に記載された発明（以下、「本件補正発明」という。）が特許出願の際独立して特許を受けることができるものであるか（特許法第１７条の２第６項において準用する同法第１２６条第７項の規定に適合するか）について以下に検討する。
（１）本件補正発明について
　本件補正発明は、「１　本件補正の概要」に記載したとおりのものである。
（２）刊行物
　本願の出願遡及日前に頒布され、原査定の拒絶の理由において提示された刊行物である特開２０１１−８７６６７号公報（以下、「刊行物１」という。）には、図面とともに次の事項が記載されている（下線は、当審にて付した。以下、同じ。）。
（ア）「【技術分野】
【０００１】
　本発明は、複数の識別情報による変動表示ゲームを表示する変動表示装置を備え、乱数の抽選結果が特別結果となった場合に、変動表示ゲームの結果態様を特別結果態様にするとともに遊技者にとって有利な特別遊技状態を発生するようにした遊技機に関する。」
（イ）「【００５１】
　また、図２に示すように、
遊技機１００は、
演出制御手段としての演出制御装置４０と、を備えている。
（ウ）「【００６７】
　ここで、リーチ（リーチ状態）とは、
表示状態が変化可能な表示装置４３を有し、該表示装置４３が時期を異ならせて複数の表示結果を導出表示し、該複数の表示結果が予め定められた特別結果態様となった場合に、遊技状態が遊技者にとって有利な遊技状態（特別遊技状態）となる遊技機
（エ）「【００７８】
　特図変動表示ゲームが開始されると、
リーチ状態となるまでの前半変動時間において予告演出として初期演出が実行される
この初期演出は、複数の単位演出からなり当該単位演出が順次進行することで、結果が特別結果態様となる可能性の高さである信頼度が高まるステップアップ演出となっている。この実施形態でのステップアップ演出で実行可能な段階は４段階（ステップ４まで）であり、下位の段階（ステップ１）から所定の段階まで順次実行される。すなわち、より上位の段階まで進行すれば信頼度が高いことが示唆されることとなる。また、各段階の演出は、例えば、図４（ｂ）、（ｃ）に示すように、段階に応じた単位演出をなす予告画像５３を順次表示することで実行される。この例では初期演出として２段階目まで実行されるステップアップ演出が実行されている。
【００７９】
　
前半変動時間が終了し、図４（ｄ）に示すように変動表示している識別情報の一部が停止してリーチ状態となると、演出用ゲートＳＷ４６での遊技球の検出が有効となる有効期間が開始される
（オ）「【００８２】
　一方、
有効期間において演出用ゲートＳＷ４６で遊技球を検出した場合は、停止していた識別情報を再度変動表示するとともに、ＳＰリーチ表示が開始されるまでの期間において再演出が実行される
この再演出では、図４（ｇ）、（ｈ）に示すように、前半変動時間での初期演出と同様のステップアップ演出が行われる
初期演出でのステップアップ演出で実行された段階数（この例では２段階）以上の段階数、すなわち、信頼度が同じもしくは高い段階までステップアップ演出を実行する（この例では４段階）。
（カ）「【００８９】
　次に、
初期演出におけるステップアップ演出で実行する段階数である初期ステップ
【００９０】
　具体的には、図７に示すような割合となっており、
例えば、図７（ａ）に示すように、結果が外れの場合であって選択された有効時間が５秒である場合は、初期ステップとして１が選択される確率が６０％、２が選択される確率が３５％、３が選択される確率が５％、４が選択される確率が０％となっている。
初期演出におけるステップアップ演出での段階数により、特別結果態様となる可能性の高さである信頼度が遊技者に報知されることとなる。
【００９１】
　また、図７（ａ）に示す結果がはずれの場合及び図７（ｂ）に示す結果が当りの場合の何れにおいても、決定された有効時間が長い方が、初期ステップが多くなるようにされている。例えば、上述した図７（ａ）に示す結果が外れの場合であって選択された有効時間が５秒である場合に対して、
結果が外れの場合であって選択された有効時間が２０秒である場合は、初期ステップとして１が選択される確率が３０％、２が選択される確率が４５％、３が選択される確率が１８％、４が選択される確率が７％となっている。
初期演出におけるステップアップ演出で信頼度の高い演出（段階数の多い演出）が行われて期待感が高められた場合
（キ）「【００９２】
　その後、
再演出でのステップアップ演出で実行する演出の段階数である再ステップ
【００９３】
　具体的には、図８に示すような割合となっており、例えば、図８（ａ）に示すように結果が外れの場合であって初期ステップが１である場合に、再ステップとして１が選択される確率が２０％、２が選択される確率が７０％、３が選択される確率が１０％、４が選択される確率が０％となっている。この再ステップの選択においては、図８（ａ）に示す結果がはずれの場合よりも図８（ｂ）に示す結果が当りの場合の方が、初期ステップが同じであっても再ステップが多くなるようにされている。
すなわち、図８（ａ）に示す結果がはずれの場合よりも図８（ｂ）に示す結果が当りの場合の方が、初期ステップと再ステップの差が大きくなり易くされている。
再演出におけるステップアップ演出で実行される段階数及び初期演出におけるステップアップ演出の段階数との差により、特別結果態様となる可能性の高さである信頼度が遊技者に報知されることとなる。
（ク）「【０１０３】
　
また、演出制御手段（演出制御装置４０）は、変動表示ゲームがリーチ状態となる前に初期演出を実行し、その後、遊技球検出手段が（演出用ゲートＳＷ４６）遊技球を検出した場合に再演出として該初期演出よりも信頼度の高い演出を実行可能としたこととなる。
（ケ）「【０１０６】
　また、演出制御手段（
演出制御装置４０
は、
スペシャルリーチ表示を実行
（コ）上記段落【００７８】の「また、各段階の演出は、例えば、図４（ｂ）、（ｃ）に示すように、段階に応じた単位演出をなす予告画像５３を順次表示することで実行される。この例では初期演出として２段階目まで実行されるステップアップ演出が実行されている。」との記載をふまえて図４（ｂ）、（ｃ）を見れば、初期演出としてのステップアップ演出の１段階目（図４（ｂ））においては、「ＳＴＥＰ１」と示された予告画像５３が表示され、２段階目（図４（ｃ））においては、「ＳＴＥＰ１」及び「ＳＴＥＰ２」と示された予告画像５３がそれぞれ表示されているところ、「ＳＴＥＰ１」、「ＳＴＥＰ２」といった予告画像５３の表示が、ステップアップ演出が現在何段階目であるか（段階数）と対応していることが示されているといえる。
　したがって、図４（ｂ）、（ｃ）においては、予告画像５３により、初期演出のステップアップ演出の段階数が示されているといえる。
（サ）
（サ−１）上記段落【００７８】の「この実施形態でのステップアップ演出で実行可能な段階は４段階（ステップ４まで）であり、下位の段階（ステップ１）から所定の段階まで順次実行される。」、「各段階の演出は、例えば、図４（ｂ）、（ｃ）に示すように、段階に応じた単位演出をなす予告画像５３を順次表示することで実行される。この例では初期演出として２段階目まで実行されるステップアップ演出が実行されている。」との記載をふまえると、図４（ｂ）、（ｃ）には、初期演出として２段階目まで実行されるステップアップ演出の場合、ステップ１において、「ＳＴＥＰ１」と示された予告画像５３が存在する状態を表示し、ステップ２において、「ＳＴＥＰ１」と示された予告画像５３の左隣に「ＳＴＥＰ２」と示された予告画像５３が存在する状態を表示することが示されているといえる。
（サ−２）上記段落【００７８】の「各段階の演出は、例えば、図４（ｂ）、（ｃ）に示すように、段階に応じた単位演出をなす予告画像５３を順次表示することで実行される。この例では初期演出として２段階目まで実行されるステップアップ演出が実行されている。」との記載より、初期演出として実行されるステップアップ演出の各段階の演出は、単位演出をなす予告画像５３を順次表示することで実行されるものであるから、段階が進むにつれ単位演出をなす予告画像５３を順次追加的に表示することで実行されるといえる。したがって、図４（ｂ）、（ｃ）には、初期演出として２段階目まで実行されるステップアップ演出の場合、ステップ２において、ステップ１で表示した「ＳＴＥＰ１」と示された予告画像５３に対して、その左隣に「ＳＴＥＰ２」と示された予告画像５３を追加して表示することが示されているといえる。
（シ）上記段落【００８２】の「この再演出では、図４（ｇ）、（ｈ）に示すように、前半変動時間での初期演出と同様のステップアップ演出が行われる」との記載より、図４（ｇ）、（ｈ）に示される再演出のステップアップ演出は、初期演出のステップアップ演出と同様であるといえる。
　そうすると、図４（ｇ）、（ｈ）が示す再演出に関する内容は、初期演出に関する上記（サ−１）の内容と同様であるといえるから、図４（ｇ）、（ｈ）に加えて上記段落【００８２】の「初期演出でのステップアップ演出で実行された段階数（この例では２段階）以上の段階数、すなわち、信頼度が同じもしくは高い段階までステップアップ演出を実行する（この例では４段階）。」との記載をふまえると、刊行物１には、初期演出の段階数が２段階で再演出の段階数が４段階の場合、再演出として、ステップ１において、「ＳＴＥＰ１」と示された予告画像５３が存在する状態を表示し、ステップ２において、「ＳＴＥＰ１」と示された予告画像５３の左隣に「ＳＴＥＰ２」と示された予告画像５３が存在する状態を表示し、ステップ４において、「ＳＴＥＰ１」と示された予告画像５３の左隣に、「ＳＴＥＰ２」と示された予告画像５３、「ＳＴＥＰ３」と示された予告画像５３、「ＳＴＥＰ４」と示された予告画像５３が順に存在する状態を表示することが記載されているといえる。
　同様に、図４（ｇ）、（ｈ）が示す再演出に関する内容は、初期演出に関する上記（サ−２）の内容と同様であるといえるから、ステップ２においては、「ＳＴＥＰ１」と示された予告画像５３の左隣に「ＳＴＥＰ２」と示された予告画像５３が存在する状態を表示することをふまえれば、刊行物１には、初期演出の段階数が２段階で再演出の段階数が４段階の場合、再演出として、ステップ３において、ステップ２で表示した「ＳＴＥＰ１」と示された予告画像５３、及びその左隣に存在する「ＳＴＥＰ２」と示された予告画像５３に対して、その左隣に「ＳＴＥＰ３」と示された予告画像５３を追加して表示することが記載されているといえる。
　まとめると、刊行物１には、初期演出の段階数が２段階で再演出の段階数が４段階の場合、再演出として、ステップ１において、「ＳＴＥＰ１」と示された予告画像５３が存在する状態を表示し、ステップ２において、「ＳＴＥＰ１」と示された予告画像５３の左隣に「ＳＴＥＰ２」と示された予告画像５３が存在する状態を表示し、ステップ３において、ステップ２で表示した「ＳＴＥＰ１」と示された予告画像５３、及びその左隣に存在する「ＳＴＥＰ２」と示された予告画像５３に対して、その左隣に「ＳＴＥＰ３」と示された予告画像５３を追加して表示し、ステップ４において、「ＳＴＥＰ１」と示された予告画像５３の左隣に、「ＳＴＥＰ２」と示された予告画像５３、「ＳＴＥＰ３」と示された予告画像５３、「ＳＴＥＰ４」と示された予告画像５３が順に存在する状態を表示することが記載されているといえる。
　上記（ア）〜（ケ）の記載事項、及び上記（コ）〜（シ）の図面に関する認定から、以下の事項が導かれる。
（あ）
（あ−１）上記段落【００５１】の「遊技機１００は、・・・演出制御手段としての演出制御装置４０と、を備えている。」との記載、上記段落【０１０３】の「演出制御手段（演出制御装置４０）は、変動表示ゲームがリーチ状態となる前に初期演出を実行し」との記載より、刊行物１には、遊技機１００が備える演出制御装置４０は、初期演出を実行することが記載されているといえる。
（あ−２）上記段落【００６７】の「該複数の表示結果が予め定められた特別結果態様となった場合に、遊技状態が遊技者にとって有利な遊技状態（特別遊技状態）となる遊技機」との記載、上記段落【００７８】の「リーチ状態となるまでの前半変動時間において予告演出として初期演出が実行される」との記載、上記段落【００９０】の「初期演出におけるステップアップ演出での段階数により、特別結果態様となる可能性の高さである信頼度が遊技者に報知されることとなる。」との記載より、刊行物１には、リーチ状態となるまでの前半変動時間において、ステップアップ演出での段階数により、遊技状態が遊技者にとって有利な遊技状態（特別遊技状態）となる可能性の高さである信頼度が遊技者に報知される初期演出が実行されることが記載されているといえる。
　また、上記（コ）より、刊行物１の図４（ｂ）、（ｃ）においては、予告画像５３により、初期演出のステップアップ演出の段階数が示されているといえる。
　したがって、刊行物１には、リーチ状態となるまでの前半変動時間において、予告画像５３により遊技状態が遊技者にとって有利な遊技状態（特別遊技状態）となる可能性の高さである信頼度が遊技者に報知される初期演出が実行されることが記載されているといえる。
（あ−３）上記（あ−１）、（あ−２）での検討、及び上記（サ−１）の「初期演出として２段階目まで実行されるステップアップ演出の場合、ステップ１において、「ＳＴＥＰ１」と示された予告画像５３が存在する状態を表示し、ステップ２において、「ＳＴＥＰ１」と示された予告画像５３の左隣に「ＳＴＥＰ２」と示された予告画像５３が存在する状態を表示すること」より、刊行物１には、
遊技機１００が備える演出制御装置４０は、リーチ状態となるまでの前半変動時間において、予告画像５３により遊技状態が遊技者にとって有利な遊技状態（特別遊技状態）となる可能性の高さである信頼度が遊技者に報知される初期演出を実行し、初期演出として２段階目まで実行されるステップアップ演出の場合、ステップ１において、「ＳＴＥＰ１」と示された予告画像５３が存在する状態を表示し、ステップ２において、「ＳＴＥＰ１」と示された予告画像５３の左隣に「ＳＴＥＰ２」と示された予告画像５３が存在する状態を表示
（い）
（い−１）上記段落【０１０３】の「また、演出制御手段（演出制御装置４０）は、・・・、その後、遊技球検出手段が（演出用ゲートＳＷ４６）遊技球を検出した場合に再演出として該初期演出よりも信頼度の高い演出を実行可能としたこととなる。」との記載より、刊行物１には、演出制御装置４０は、再演出を実行可能であることが記載されているといえる。
（い−２）上記段落【００７９】の「前半変動時間が終了し、図４（ｄ）に示すように変動表示している識別情報の一部が停止してリーチ状態となると、演出用ゲートＳＷ４６での遊技球の検出が有効となる有効期間が開始される」との記載、上記段落【００８２】の「有効期間において演出用ゲートＳＷ４６で遊技球を検出した場合は、停止していた識別情報を再度変動表示するとともに、ＳＰリーチ表示が開始されるまでの期間において再演出が実行される」との記載より、刊行物１には、前半変動時間が終了して開始される有効期間において演出用ゲートＳＷ４６で遊技球を検出した場合は、再演出が実行されることが記載されているといえる。
（い−３）上記段落【００８２】の「この再演出では、・・・、初期演出でのステップアップ演出で実行された段階数（この例では２段階）以上の段階数、すなわち、信頼度が同じもしくは高い段階までステップアップ演出を実行する（この例では４段階）。」との記載より、刊行物１には、初期演出でのステップアップ演出で実行された段階数より信頼度が高い段階数まで、ステップアップ演出である再演出を実行することが記載されているといえる。
（い−４）上記（い−１）〜（い−３）での検討、及び上記（シ）の「初期演出の段階数が２段階で再演出の段階数が４段階の場合、再演出として、ステップ１において、「ＳＴＥＰ１」と示された予告画像５３が存在する状態を表示し、ステップ２において、「ＳＴＥＰ１」と示された予告画像５３の左隣に「ＳＴＥＰ２」と示された予告画像５３が存在する状態を表示し、ステップ３において、ステップ２で表示した「ＳＴＥＰ１」と示された予告画像５３、及びその左隣に存在する「ＳＴＥＰ２」と示された予告画像５３に対して、その左隣に「ＳＴＥＰ３」と示された予告画像５３を追加して表示し、ステップ４において、「ＳＴＥＰ１」と示された予告画像５３の左隣に、「ＳＴＥＰ２」と示された予告画像５３、「ＳＴＥＰ３」と示された予告画像５３、「ＳＴＥＰ４」と示された予告画像５３が順に存在する状態を表示」することより、刊行物１には、
演出制御装置４０は、前半変動時間が終了して開始される有効期間において演出用ゲートＳＷ４６で遊技球を検出した場合は、初期演出でのステップアップ演出で実行された段階数より信頼度が高い段階数まで、ステップアップ演出である再演出を実行し、初期演出の段階数が２段階で再演出の段階数が４段階の場合、再演出として、ステップ１において、「ＳＴＥＰ１」と示された予告画像５３が存在する状態を表示し、ステップ２において、「ＳＴＥＰ１」と示された予告画像５３の左隣に「ＳＴＥＰ２」と示された予告画像５３が存在する状態を表示し、ステップ３において、ステップ２で表示した「ＳＴＥＰ１」と示された予告画像５３、及びその左隣に存在する「ＳＴＥＰ２」と示された予告画像５３に対して、その左隣に「ＳＴＥＰ３」と示された予告画像５３を追加して表示し、ステップ４において、「ＳＴＥＰ１」と示された予告画像５３の左隣に、「ＳＴＥＰ２」と示された予告画像５３、「ＳＴＥＰ３」と示された予告画像５３、「ＳＴＥＰ４」と示された予告画像５３が順に存在する状態を表示
（う）
（う−１）上記段落【００７８】の「この初期演出は、・・・ステップアップ演出となっている。この実施形態でのステップアップ演出で実行可能な段階は４段階（ステップ４まで）であり、下位の段階（ステップ１）から所定の段階まで順次実行される。すなわち、より上位の段階まで進行すれば信頼度が高いことが示唆されることとなる。」、「各段階の演出は、例えば、図４（ｂ）、（ｃ）に示すように、段階に応じた単位演出をなす予告画像５３を順次表示することで実行される。」との記載より、刊行物１には、初期演出では、段階に応じた単位演出をなす予告画像５３を下位の段階（ステップ１）から上位の段階まで順次表示することが記載されているといえる。
（う−２）上記段落【００６７】の「該複数の表示結果が予め定められた特別結果態様となった場合に、遊技状態が遊技者にとって有利な遊技状態（特別遊技状態）となる遊技機」との記載、上記段落【００７８】の「この初期演出は、複数の単位演出からなり当該単位演出が順次進行することで、結果が特別結果態様となる可能性の高さである信頼度が高まるステップアップ演出となっている。・・・。すなわち、より上位の段階まで進行すれば信頼度が高いことが示唆されることとなる。」との記載、上記段落【００９０】の「初期演出におけるステップアップ演出での段階数により、特別結果態様となる可能性の高さである信頼度が遊技者に報知されることとなる。」との記載より、刊行物１には、初期演出では、より上位の段階まで演出が進行すれば、遊技状態が遊技者にとって有利な遊技状態（特別遊技状態）となる可能性の高さである信頼度が高いことが示唆されることが記載されているといえる。
 
（う−３）上記（あ−１）での検討より、初期演出を実行するのは「演出制御装置４０」であり、また、上記段落【００７８】の「リーチ状態となるまでの前半変動時間において予告演出として初期演出が実行される」との記載より、初期演出は予告演出として実行される。
（う−４）上記（う−１）〜（う−３）での検討より、刊行物１には、
演出制御装置４０は、初期演出として、段階に応じた単位演出をなす予告画像５３を下位の段階（ステップ１）から上位の段階まで順次表示し、より上位の段階まで演出が進行すれば、遊技状態が遊技者にとって有利な遊技状態（特別遊技状態）となる可能性の高さである信頼度が高いことを示唆する予告演出を実行
（え）
（え−１）上記段落【００８２】の「この再演出では、・・・、初期演出でのステップアップ演出で実行された段階数（この例では２段階）以上の段階数、すなわち、信頼度が同じもしくは高い段階までステップアップ演出を実行する（この例では４段階）。」との記載より、刊行物１には、初期演出でのステップアップ演出の段階より、再演出でのステップアップ演出の段階の方が信頼度が高いことが記載されているといえる。
　また、上記段落【００９１】の「初期演出におけるステップアップ演出で信頼度の高い演出（段階数の多い演出）が行われて期待感が高められた場合」との記載より、ステップアップ演出において、信頼度の高い演出とは、段階数の多い演出のことであるといえる。
　したがって、刊行物１には、初期演出でのステップアップ演出の段階数より、再演出でのステップアップ演出の段階数の方が多いことが記載されているといえる。
（え−２）上記段落【００８９】の「初期演出におけるステップアップ演出で実行する段階数である初期ステップ」との記載、上記段落【００９２】の「再演出でのステップアップ演出で実行する演出の段階数である再ステップ」との記載、上記段落【００９３】の「すなわち、図８（ａ）に示す結果がはずれの場合よりも図８（ｂ）に示す結果が当りの場合の方が、初期ステップと再ステップの差が大きくなり易くされている。」との記載より、刊行物１には、再演出では、結果がはずれの場合よりも結果が当りの場合の方が、初期演出におけるステップアップ演出の段階数と再演出におけるステップアップ演出の段階数の差が大きくなり易いことが記載されているといえる。
　ここで、上記（え−１）での検討より、初期演出でのステップアップ演出の段階数より、再演出でのステップアップ演出の段階数の方が多いことをふまえると、上記「初期演出におけるステップアップ演出の段階数と再演出におけるステップアップ演出の段階数の差」は、再演出におけるステップアップ演出の段階数から、初期演出におけるステップアップ演出の段階数を引いた差であることが明らかである。
　したがって、刊行物１には、再演出では、結果がはずれの場合よりも結果が当りの場合の方が、再演出におけるステップアップ演出の段階数から初期演出におけるステップアップ演出の段階数を引いた差が大きくなり易いことが記載されているといえる。
（え−３）上記段落【００６７】の「該複数の表示結果が予め定められた特別結果態様となった場合に、遊技状態が遊技者にとって有利な遊技状態（特別遊技状態）となる遊技機」との記載、上記段落【００９３】の「再演出におけるステップアップ演出で実行される段階数及び初期演出におけるステップアップ演出の段階数との差により、特別結果態様となる可能性の高さである信頼度が遊技者に報知されることとなる。」との記載より、刊行物１には、再演出におけるステップアップ演出の段階数及び初期演出におけるステップアップ演出の段階数との差により、遊技状態が遊技者にとって有利な遊技状態（特別遊技状態）となる可能性の高さである信頼度が報知されることが記載されているといえる。
　ここで、上記（え−２）と同様の検討より、上記「再演出におけるステップアップ演出の段階数及び初期演出におけるステップアップ演出の段階数との差」は、再演出におけるステップアップ演出の段階数から、初期演出におけるステップアップ演出の段階数を引いた差であることが明らかである。
　したがって、刊行物１には、再演出におけるステップアップ演出の段階数から初期演出におけるステップアップ演出の段階数を引いた差により、遊技状態が遊技者にとって有利な遊技状態（特別遊技状態）となる可能性の高さである信頼度が報知されることが記載されているといえる。
（え−４）上記（い−１）での検討より、再演出を実行するのは「演出制御装置４０」であること、及び上記（え−２）、（え−３）での検討より、刊行物１には、
演出制御装置４０は、再演出では、結果がはずれの場合よりも結果が当りの場合の方が、再演出におけるステップアップ演出の段階数から初期演出におけるステップアップ演出の段階数を引いた差が大きくなり易くし、再演出におけるステップアップ演出の段階数から初期演出におけるステップアップ演出の段階数を引いた差により、遊技状態が遊技者にとって有利な遊技状態（特別遊技状態）となる可能性の高さである信頼度を報知する
　上記（ア）〜（ケ）の記載事項、上記（コ）〜（シ）の図面に関する認定、及び上記（あ）〜（え）の認定事項より、刊行物１には、次の発明（以下、「刊行物１発明」という。）が記載されていると認められる（記号ａ〜ｆは、本件補正発明の記号Ａ〜Ｆに対応させて付した。）。
「ａ　表示状態が変化可能な表示装置４３を有し、該表示装置４３が時期を異ならせて複数の表示結果を導出表示し、該複数の表示結果が予め定められた特別結果態様となった場合に、遊技状態が遊技者にとって有利な遊技状態（特別遊技状態）となる遊技機１００であって、（段落【００５１】、【００６７】）
ｂ　遊技機１００が備える演出制御装置４０は、リーチ状態となるまでの前半変動時間において、予告画像５３により遊技状態が遊技者にとって有利な遊技状態（特別遊技状態）となる可能性の高さである信頼度が遊技者に報知される初期演出を実行し、初期演出として２段階目まで実行されるステップアップ演出の場合、ステップ１において、「ＳＴＥＰ１」と示された予告画像５３が存在する状態を表示し、ステップ２において、「ＳＴＥＰ１」と示された予告画像５３の左隣に「ＳＴＥＰ２」と示された予告画像５３が存在する状態を表示し、（認定事項（あ））
ｃ’、ｆ　演出制御装置４０は、前半変動時間が終了して開始される有効期間において演出用ゲートＳＷ４６で遊技球を検出した場合は、初期演出でのステップアップ演出で実行された段階数より信頼度が高い段階数まで、ステップアップ演出である再演出を実行し、初期演出の段階数が２段階で再演出の段階数が４段階の場合、再演出として、ステップ１において、「ＳＴＥＰ１」と示された予告画像５３が存在する状態を表示し、ステップ２において、「ＳＴＥＰ１」と示された予告画像５３の左隣に「ＳＴＥＰ２」と示された予告画像５３が存在する状態を表示し、ステップ３において、ステップ２で表示した「ＳＴＥＰ１」と示された予告画像５３、及びその左隣に存在する「ＳＴＥＰ２」と示された予告画像５３に対して、その左隣に「ＳＴＥＰ３」と示された予告画像５３を追加して表示し、ステップ４において、「ＳＴＥＰ１」と示された予告画像５３の左隣に、「ＳＴＥＰ２」と示された予告画像５３、「ＳＴＥＰ３」と示された予告画像５３、「ＳＴＥＰ４」と示された予告画像５３が順に存在する状態を表示し、（認定事項（い））
ｄ　演出制御装置４０は、初期演出として、段階に応じた単位演出をなす予告画像５３を下位の段階（ステップ１）から上位の段階まで順次表示し、より上位の段階まで演出が進行すれば、遊技状態が遊技者にとって有利な遊技状態（特別遊技状態）となる可能性の高さである信頼度が高いことを示唆する予告演出を実行し、（認定事項（う））
ｅ　演出制御装置４０は、スペシャルリーチ表示を実行し、（段落【０１０６】）
ｆ　演出制御装置４０は、再演出では、結果がはずれの場合よりも結果が当りの場合の方が、再演出におけるステップアップ演出の段階数から初期演出におけるステップアップ演出の段階数を引いた差が大きくなり易くし、再演出におけるステップアップ演出の段階数から初期演出におけるステップアップ演出の段階数を引いた差により、遊技状態が遊技者にとって有利な遊技状態（特別遊技状態）となる可能性の高さである信頼度を報知する、（認定事項（え））
遊技機１００。（段落【００５１】）」
（３）対比
　本件補正発明と刊行物１発明とを対比する（下記の（ａ）〜（ｆ）は、刊行物１発明の構成ａ〜ｆに対応している。）。
（ａ）刊行物１発明において、「表示装置４３」が行う「表示状態が変化可能な」表示は、本件補正発明の「可変表示」に相当する。
　また、刊行物１発明の「遊技者にとって有利な遊技状態（特別遊技状態）」は、本件補正発明の「遊技者にとって有利な有利状態」に相当する。したがって、刊行物１発明において「該表示装置４３が時期を異ならせて複数の表示結果を導出表示し、該複数の表示結果が予め定められた特別結果態様となった場合に、遊技状態が遊技者にとって有利な遊技状態（特別遊技状態）となる」ことは、本件補正発明において「遊技者にとって有利な有利状態に制御可能」であることに相当する。
　よって、刊行物１発明の「表示状態が変化可能な表示装置４３を有し、該表示装置４３が時期を異ならせて複数の表示結果を導出表示し、該複数の表示結果が予め定められた特別結果態様となった場合に、遊技状態が遊技者にとって有利な遊技状態（特別遊技状態）となる遊技機１００」は、本件補正発明の「可変表示を行い、遊技者にとって有利な有利状態に制御可能な遊技機」に相当する。
（ｂ）「初期演出として２段階目まで実行されるステップアップ演出の場合、ステップ１において、「ＳＴＥＰ１」と示された予告画像５３が存在する状態を表示し、ステップ２において、「ＳＴＥＰ１」と示された予告画像５３の左隣に「ＳＴＥＰ２」と示された予告画像５３が存在する状態を表示」することより、刊行物１発明の「予告画像５３」は、「ＳＴＥＰ１」、「ＳＴＥＰ２」といった表示により初期演出の内容を示しているといえる。したがって、刊行物１発明の「予告画像５３」は本件補正発明の「演出態様」に相当し、刊行物１発明の「予告画像５３により」は本件補正発明の「演出態様に応じて」に相当する。
　また、刊行物１発明の「遊技状態が遊技者にとって有利な遊技状態（特別遊技状態）となる可能性の高さである信頼度が遊技者に報知される初期演出」は、本件補正発明の「前記有利状態に制御される可能性を報知する報知演出」に相当する。
　故に、刊行物１発明の「予告画像５３により遊技状態が遊技者にとって有利な遊技状態（特別遊技状態）となる可能性の高さである信頼度が遊技者に報知される初期演出」は、本件補正発明の「演出態様に応じて前記有利状態に制御される可能性を報知する報知演出」に相当する。
　よって、刊行物１発明の「予告画像５３により遊技状態が遊技者にとって有利な遊技状態（特別遊技状態）となる可能性の高さである信頼度が遊技者に報知される初期演出を実行」する「演出制御装置４０」は、本件補正発明の「演出態様に応じて前記有利状態に制御される可能性を報知する報知演出を実行可能な報知演出実行手段」としての機能を有する。
（ｃ）
（ｃ−１）刊行物１発明においては、初期演出は前半変動時間において実行される（構成ｂ）ことを考慮すれば、「前半変動時間が終了して開始される有効期間」は、初期演出が終了した後のタイミングであるといえるところ、本件補正発明の「前記報知演出が終了した後の特定タイミング」に相当する。
（ｃ−２）刊行物１発明の「初期演出として２段階目まで実行されるステップアップ演出の場合」において、「ステップ１において、「ＳＴＥＰ１」と示された予告画像５３が存在する状態を表示し、ステップ２において、「ＳＴＥＰ１」と示された予告画像５３の左隣に「ＳＴＥＰ２」と示された予告画像５３が存在する状態を表示」（構成ｂ）した際には、最終的に、「ＳＴＥＰ１」と示された予告画像５３の左隣に「ＳＴＥＰ２」と示された予告画像５３が存在する状態が表示されることとなる。そうすると、上記（ｂ）において検討したように、刊行物１発明の「予告画像５３」が本件補正発明の「演出態様」に相当することをふまえれば、刊行物１発明の「初期演出として２段階目まで実行されるステップアップ演出の場合」において最終的に表示される、「ＳＴＥＰ１」と示された予告画像５３、及びその左隣に存在する「ＳＴＥＰ２」と示された予告画像５３は、本件補正発明の「前記報知演出実行手段により実行された前記報知演出の演出態様」に相当する。
　同様に、刊行物１発明の「初期演出の段階数が２段階で再演出の段階数が４段階の場合」において、「再演出として、ステップ１において、「ＳＴＥＰ１」と示された予告画像５３が存在する状態を表示し、ステップ２において、「ＳＴＥＰ１」と示された予告画像５３の左隣に「ＳＴＥＰ２」と示された予告画像５３が存在する状態を表示」する演出では、最終的に、「ＳＴＥＰ１」と示された予告画像５３、及びその左隣に存在する「ＳＴＥＰ２」と示された予告画像５３が表示されることとなり、これらの予告画像５３は、既に示した、「初期演出として２段階目まで実行されるステップアップ演出の場合」において最終的に表示される、「ＳＴＥＰ１」と示された予告画像５３、及びその左隣に存在する「ＳＴＥＰ２」と示された予告画像５３と同じである。
　したがって、刊行物１発明の「初期演出の段階数が２段階で再演出の段階数が４段階の場合」において、「再演出として、ステップ１において、「ＳＴＥＰ１」と示された予告画像５３が存在する状態を表示し、ステップ２において、「ＳＴＥＰ１」と示された予告画像５３の左隣に「ＳＴＥＰ２」と示された予告画像５３が存在する状態を表示」する演出は、本件補正発明の「前記報知演出実行手段により実行された前記報知演出の演出態様を示す演出」に相当する。
（ｃ−３）本件補正発明の「該表示した演出態様」がその前の「前記報知演出実行手段により実行された前記報知演出の演出態様」を受けていること、及び上記（ｃ−２）で検討したように「「ＳＴＥＰ１」と示された予告画像５３、及びその左隣に存在する「ＳＴＥＰ２」と示された予告画像５３」が、本件補正発明の「前記報知演出実行手段により実行された前記報知演出の演出態様」に相当することをふまえれば、刊行物１発明の「ステップ３」についての「「ＳＴＥＰ１」と示された予告画像５３、及びその左隣に存在する「ＳＴＥＰ２」と示された予告画像５３」は、本件補正発明の「該表示した演出態様」に相当する。
（ｃ−４）
（ｃ−４−１）刊行物１発明の「ステップ３」における「「ＳＴＥＰ３」と示された予告画像５３」は、本件補正発明の「他の表示画像」に相当する。
（ｃ−４−２）刊行物１発明は、「初期演出の段階数が２段階で再演出の段階数が４段階の場合」における再演出で、「ステップ２において、「ＳＴＥＰ１」と示された予告画像５３の左隣に「ＳＴＥＰ２」と示された予告画像５３が存在する状態を表示し」、その後に「ステップ３において、ステップ２で表示した「ＳＴＥＰ１」と示された予告画像５３、及びその左隣に存在する「ＳＴＥＰ２」と示された予告画像５３に対して、その左隣に「ＳＴＥＰ３」と示された予告画像５３を追加して表示」すると、「ステップ４において、「ＳＴＥＰ１」と示された予告画像５３の左隣に、「ＳＴＥＰ２」と示された予告画像５３、「ＳＴＥＰ３」と示された予告画像５３、「ＳＴＥＰ４」と示された予告画像５３が順に存在する状態を表示」するものである。
　すなわち、ステップ３における「「ＳＴＥＰ３」と示された予告画像５３」を表示することなくステップ２からステップ４に移行することはないのであるから、ステップ２とステップ４とに介在するステップ３で表示される「「ＳＴＥＰ３」と示された予告画像５３」は、「ステップ２で表示した「ＳＴＥＰ１」と示された予告画像５３、及びその左隣に存在する「ＳＴＥＰ２」と示された予告画像５３」に対して、その左隣に追加して表示されることにより、その後の「ステップ４」の「「ＳＴＥＰ１」と示された予告画像５３の左隣に、「ＳＴＥＰ２」と示された予告画像５３、「ＳＴＥＰ３」と示された予告画像５３、「ＳＴＥＰ４」と示された予告画像５３が順に存在する状態」の表示をもたらすという一定の作用を有するものと見ることができる。また、その作用は、「ＳＴＥＰ３」や「ＳＴＥＰ４」と示された「予告画像５３」の表示がなされる前の、「ステップ２で表示した「ＳＴＥＰ１」と示された予告画像５３、及びその左隣に存在する「ＳＴＥＰ２」と示された予告画像５３」に対して向けられていると見ることができる。
（ｃ−４−３）よって、上記（ｃ−３）での検討より、「ステップ３」についての「「ＳＴＥＰ１」と示された予告画像５３、及びその左隣に存在する「ＳＴＥＰ２」と示された予告画像５３」が、本件補正発明の「該表示した演出態様」に相当することをふまえれば、刊行物１発明の「初期演出の段階数が２段階で再演出の段階数が４段階の場合」において、「再演出として、」「ステップ３において、ステップ２で表示した「ＳＴＥＰ１」と示された予告画像５３、及びその左隣に存在する「ＳＴＥＰ２」と示された予告画像５３に対して、その左隣に「ＳＴＥＰ３」と示された予告画像５３を追加して表示」する演出を行うことは、本件補正発明の「該表示した演出態様に対して他の表示画像の作用による演出を実行する」ことに相当する。
（ｃ−５）刊行物１発明においては、「初期演出でのステップアップ演出で実行された段階数より信頼度が高い段階数まで、ステップアップ演出である再演出を実行」するものであるから、「初期演出の段階数が２段階で再演出の段階数が４段階の場合」においては、再演出の段階数である４段階の方が、初期演出の段階数である２段階より信頼度が高いといえる。
　そうすると、刊行物１発明の「初期演出の段階数が２段階で再演出の段階数が４段階の場合」の再演出において「ステップ４において、「ＳＴＥＰ１」と示された予告画像５３の左隣に、「ＳＴＥＰ２」と示された予告画像５３、「ＳＴＥＰ３」と示された予告画像５３、「ＳＴＥＰ４」と示された予告画像５３が順に存在する状態を表示」する演出は４段階に対応することより、当該演出で表示される「ＳＴＥＰ１」、「ＳＴＥＰ２」、「ＳＴＥＰ３」「ＳＴＥＰ４」と示された予告画像５３の信頼度は、２段階の初期演出に対応する「ステップ１において、「ＳＴＥＰ１」と示された予告画像５３が存在する状態を表示し、ステップ２において、「ＳＴＥＰ１」と示された予告画像５３の左隣に「ＳＴＥＰ２」と示された予告画像５３が存在する状態を表示」する演出で表示される「ＳＴＥＰ１」、「ＳＴＥＰ２」と示された予告画像５３の信頼度よりも高いといえる。
　したがって、「信頼度」が「遊技状態が遊技者にとって有利な遊技状態（特別遊技状態）となる可能性の高さ」である（構成ｂ）ことをふまえれば、「初期演出でのステップアップ演出で実行された段階数より信頼度が高い段階数まで、ステップアップ演出である再演出を実行」する刊行物１発明の「初期演出の段階数が２段階で再演出の段階数が４段階の場合」において、「再演出として、」「ステップ４において、「ＳＴＥＰ１」と示された予告画像５３の左隣に、「ＳＴＥＰ２」と示された予告画像５３、「ＳＴＥＰ３」と示された予告画像５３、「ＳＴＥＰ４」と示された予告画像５３が順に存在する状態を表示」する演出は、本件補正発明の「前記有利状態に制御される可能性がより高い演出態様を示す演出」に相当する。
（ｃ−６）刊行物１発明の「初期演出の段階数が２段階で再演出の段階数が４段階の場合」における再演出では、「ステップ１において、「ＳＴＥＰ１」と示された予告画像５３が存在する状態を表示し、ステップ２において、「ＳＴＥＰ１」と示された予告画像５３の左隣に「ＳＴＥＰ２」と示された予告画像５３が存在する状態を表示」した後に、「ステップ３」の表示を介して、「ステップ４において、「ＳＴＥＰ１」と示された予告画像５３の左隣に、「ＳＴＥＰ２」と示された予告画像５３、「ＳＴＥＰ３」と示された予告画像５３、「ＳＴＥＰ４」と示された予告画像５３が順に存在する状態を表示」するから、「ステップ１において、「ＳＴＥＰ１」と示された予告画像５３が存在する状態を表示し、ステップ２において、「ＳＴＥＰ１」と示された予告画像５３の左隣に「ＳＴＥＰ２」と示された予告画像５３が存在する状態を表示」する演出を、「ステップ４において、「ＳＴＥＰ１」と示された予告画像５３の左隣に、「ＳＴＥＰ２」と示された予告画像５３、「ＳＴＥＰ３」と示された予告画像５３、「ＳＴＥＰ４」と示された予告画像５３が順に存在する状態を表示」する演出に変更して表示しているといえる。
　このことと、上記（ｃ−２）、（ｃ−４）、（ｃ−５）での検討を総合すると、刊行物１発明において、「初期演出でのステップアップ演出で実行された段階数より信頼度が高い段階数まで、ステップアップ演出である再演出を実行し、初期演出の段階数が２段階で再演出の段階数が４段階の場合、再演出として、ステップ１において、「ＳＴＥＰ１」と示された予告画像５３が存在する状態を表示し、ステップ２において、「ＳＴＥＰ１」と示された予告画像５３の左隣に「ＳＴＥＰ２」と示された予告画像５３が存在する状態を表示し、ステップ３において、ステップ２で表示した「ＳＴＥＰ１」と示された予告画像５３、及びその左隣に存在する「ＳＴＥＰ２」と示された予告画像５３に対して、その左隣に「ＳＴＥＰ３」と示された予告画像５３を追加して表示し、ステップ４において、「ＳＴＥＰ１」と示された予告画像５３の左隣に、「ＳＴＥＰ２」と示された予告画像５３、「ＳＴＥＰ３」と示された予告画像５３、「ＳＴＥＰ４」と示された予告画像５３が順に存在する状態を表示」することは、本件補正発明において「前記報知演出実行手段により実行された前記報知演出の演出態様を示す演出を表示した後に、該表示した演出態様に対して他の表示画像の作用による演出を実行することにより前記有利状態に制御される可能性がより高い演出態様を示す演出に変更して表示する」ことに相当する。
（ｃ−７）上記（ｃ−１）、（ｃ−６）での検討より、刊行物１発明の「前半変動時間が終了して開始される有効期間において演出用ゲートＳＷ４６で遊技球を検出した場合は、初期演出でのステップアップ演出で実行された段階数より信頼度が高い段階数まで、ステップアップ演出である再演出を実行し、初期演出の段階数が２段階で再演出の段階数が４段階の場合、再演出として、ステップ１において、「ＳＴＥＰ１」と示された予告画像５３が存在する状態を表示し、ステップ２において、「ＳＴＥＰ１」と示された予告画像５３の左隣に「ＳＴＥＰ２」と示された予告画像５３が存在する状態を表示し、ステップ３において、ステップ２で表示した「ＳＴＥＰ１」と示された予告画像５３、及びその左隣に存在する「ＳＴＥＰ２」と示された予告画像５３に対して、その左隣に「ＳＴＥＰ３」と示された予告画像５３を追加して表示し、ステップ４において、「ＳＴＥＰ１」と示された予告画像５３の左隣に、「ＳＴＥＰ２」と示された予告画像５３、「ＳＴＥＰ３」と示された予告画像５３、「ＳＴＥＰ４」と示された予告画像５３が順に存在する状態を表示」する「演出制御装置４０」は、本件補正発明の「前記報知演出が終了した後の特定タイミングにて、遊技媒体の検出を条件とせずに、前記報知演出実行手段により実行された前記報知演出の演出態様を示す演出を表示した後に、該表示した演出態様に対して他の表示画像の作用による演出を実行することにより前記有利状態に制御される可能性がより高い演出態様を示す演出に変更して表示する変更演出実行手段」と、「前記報知演出が終了した後の特定タイミングにて、前記報知演出実行手段により実行された前記報知演出の演出態様を示す演出を表示した後に、該表示した演出態様に対して他の表示画像の作用による演出を実行することにより前記有利状態に制御される可能性がより高い演出態様を示す演出に変更して表示する変更演出実行手段」としての機能を有する点で共通する。
（ｄ）
（ｄ−１）刊行物１発明の「下位の段階（ステップ１）」、「上位の段階」は、それぞれ本件補正発明の「１段階」、「複数段階」に相当する。
　また、刊行物１発明の「段階に応じた単位演出をなす予告画像５３を下位の段階（ステップ１）から上位の段階まで順次表示」することにおいて、「予告画像５３」は「段階に応じた」ものとなっているところ、「予告画像５３」が「下位の段階（ステップ１）から上位の段階まで」において段階的に変化していることは明らかである。
　これらのことと、上記（ｂ）での検討より刊行物１発明の「予告画像５３」が本件補正発明の「演出態様」に相当することから、刊行物１発明の「段階に応じた単位演出をなす予告画像５３を下位の段階（ステップ１）から上位の段階まで順次表示」する「予告演出」は、本件補正発明の「演出態様を１段階から複数段階まで段階的に変化させ」る「予告演出」に相当する。
（ｄ−２）刊行物１発明において、「予告演出」は、「より上位の段階まで演出が進行すれば、遊技状態が遊技者にとって有利な遊技状態（特別遊技状態）となる可能性の高さである信頼度が高いことを示唆する」ものであるから、遊技状態が遊技者にとって有利な遊技状態（特別遊技状態）となる場合に、遊技状態が遊技者にとって有利な遊技状態（特別遊技状態）とならない場合よりも高い割合で上位の段階まで演出が進行するものであることは明らかである。
　また、上記（ｄ−１）での検討より、刊行物１発明の「予告演出」においては、上位の段階まで演出が進行すると「予告画像５３」（本件補正発明の「演出態様」）が変化するといえる。
　したがって、刊行物１発明の「より上位の段階まで演出が進行すれば、遊技状態が遊技者にとって有利な遊技状態（特別遊技状態）となる可能性の高さである信頼度が高いことを示唆する予告演出」は、本件補正発明の「前記有利状態に制御される場合に前記有利状態に制御されない場合よりも高い割合で多い段階まで演出態様が変化する予告演出」に相当する。
（ｄ−３）上記（ｄ−１）、（ｄ−２）での検討より、刊行物１発明の「初期演出として、段階に応じた単位演出をなす予告画像５３を下位の段階（ステップ１）から上位の段階まで順次表示し、より上位の段階まで演出が進行すれば、遊技状態が遊技者にとって有利な遊技状態（特別遊技状態）となる可能性の高さである信頼度が高いことを示唆する予告演出を実行」する「演出制御装置４０」は、本件補正発明の「前記報知演出として、演出態様を１段階から複数段階まで段階的に変化させ、前記有利状態に制御される場合に前記有利状態に制御されない場合よりも高い割合で多い段階まで演出態様が変化する予告演出を実行可能であ」る「前記報知演出実行手段」としての機能を有する。
（ｅ）刊行物１発明の「スペシャルリーチ表示」は、本件補正発明の「特定演出」に相当する。
　したがって、刊行物１発明の「演出制御装置４０は、スペシャルリーチ表示を実行し」は、本件補正発明の「前記予告演出の段階数に応じて、特定演出の実行割合が異なり」と、「特定演出」を「実行」可能である点で共通する。
（ｆ）
（ｆ−１）刊行物１発明の「初期演出の段階数が２段階で再演出の段階数が４段階の場合」において、「再演出として、ステップ１において、「ＳＴＥＰ１」と示された予告画像５３が存在する状態を表示し、ステップ２において、「ＳＴＥＰ１」と示された予告画像５３の左隣に「ＳＴＥＰ２」と示された予告画像５３が存在する状態を表示」する演出は、段階数が２であることを示しているが、「初期演出の段階数が２段階」であることをふまえると、初期演出の段階数を示す演出であるといえる。
　また、刊行物１発明においては、初期演出として予告演出が実行されるところ（構成ｄ）、初期演出の段階数を示す演出とはすなわち、予告演出の段階数を示す演出であるといえる。
　したがって、刊行物１発明の「初期演出の段階数が２段階で再演出の段階数が４段階の場合」において、「再演出として、ステップ１において、「ＳＴＥＰ１」と示された予告画像５３が存在する状態を表示し、ステップ２において、「ＳＴＥＰ１」と示された予告画像５３の左隣に「ＳＴＥＰ２」と示された予告画像５３が存在する状態を表示」する演出は、本件補正発明の「前記予告演出の段階数を示す演出」に相当する。
（ｆ−２）刊行物１発明の「初期演出の段階数が２段階で再演出の段階数が４段階の場合」において、「再演出として、」「ステップ４において、「ＳＴＥＰ１」と示された予告画像５３の左隣に、「ＳＴＥＰ２」と示された予告画像５３、「ＳＴＥＰ３」と示された予告画像５３、「ＳＴＥＰ４」と示された予告画像５３が順に存在する状態を表示」する演出は、再演出の段階数が４であることを示しているから、上記（ｆ−１）で検討した、段階数が２であることを示す「ステップ１において、「ＳＴＥＰ１」と示された予告画像５３が存在する状態を表示し、ステップ２において、「ＳＴＥＰ１」と示された予告画像５３の左隣に「ＳＴＥＰ２」と示された予告画像５３が存在する状態を表示」する演出よりも、多い段階数を示していることは明らかである。
　したがって、刊行物１発明の「初期演出の段階数が２段階で再演出の段階数が４段階の場合」において「再演出として、」「ステップ４において、「ＳＴＥＰ１」と示された予告画像５３の左隣に、「ＳＴＥＰ２」と示された予告画像５３、「ＳＴＥＰ３」と示された予告画像５３、「ＳＴＥＰ４」と示された予告画像５３が順に存在する状態を表示」する演出は、本件補正発明の「より多い段階数を示す演出」に相当する。
（ｆ−３）上記（ｃ−６）で検討したように、刊行物１発明の「初期演出の段階数が２段階で再演出の段階数が４段階の場合」における再演出で、「ステップ１において、「ＳＴＥＰ１」と示された予告画像５３が存在する状態を表示し、ステップ２において、「ＳＴＥＰ１」と示された予告画像５３の左隣に「ＳＴＥＰ２」と示された予告画像５３が存在する状態を表示」する演出の後に、「ステップ４において、「ＳＴＥＰ１」と示された予告画像５３の左隣に、「ＳＴＥＰ２」と示された予告画像５３、「ＳＴＥＰ３」と示された予告画像５３、「ＳＴＥＰ４」と示された予告画像５３が順に存在する状態を表示」する演出を行うことは、前者の演出を後者の演出に変更して表示することであるといえる。
　したがって、上記（ｆ−１）、（ｆ−２）での検討をふまえると、刊行物１発明の「初期演出の段階数が２段階で再演出の段階数が４段階の場合」において「再演出として、」「ステップ１において、「ＳＴＥＰ１」と示された予告画像５３が存在する状態を表示し、ステップ２において、「ＳＴＥＰ１」と示された予告画像５３の左隣に「ＳＴＥＰ２」と示された予告画像５３が存在する状態を表示し、」「ステップ４において、「ＳＴＥＰ１」と示された予告画像５３の左隣に、「ＳＴＥＰ２」と示された予告画像５３、「ＳＴＥＰ３」と示された予告画像５３、「ＳＴＥＰ４」と示された予告画像５３が順に存在する状態を表示」することは、本件補正発明において「前記予告演出の段階数を示す演出を、より多い段階数を示す演出に変更して表示する」ことに相当する。
（ｆ−４）刊行物１発明は、「再演出では、結果がはずれの場合よりも結果が当りの場合の方が、再演出におけるステップアップ演出の段階数から初期演出におけるステップアップ演出の段階数を引いた差が大きくなり易くし、再演出におけるステップアップ演出の段階数から初期演出におけるステップアップ演出の段階数を引いた差により、遊技状態が遊技者にとって有利な遊技状態（特別遊技状態）となる可能性の高さである信頼度を報知する」ものであるから、再演出におけるステップアップ演出の段階数から初期演出におけるステップアップ演出の段階数を引いた差が大きい場合には、遊技状態が遊技者にとって有利な遊技状態（特別遊技状態）となる可能性が高いことが報知されるといえる。
　他方、上記（ｆ−１）での検討より、刊行物１発明の「初期演出の段階数が２段階で再演出の段階数が４段階の場合」において、「再演出として、ステップ１において、「ＳＴＥＰ１」と示された予告画像５３が存在する状態を表示し、ステップ２において、「ＳＴＥＰ１」と示された予告画像５３の左隣に「ＳＴＥＰ２」と示された予告画像５３が存在する状態を表示」する演出は、初期演出の段階数を示しており、上記（ｆ−２）での検討より、「ステップ４において、「ＳＴＥＰ１」と示された予告画像５３の左隣に、「ＳＴＥＰ２」と示された予告画像５３、「ＳＴＥＰ３」と示された予告画像５３、「ＳＴＥＰ４」と示された予告画像５３が順に存在する状態を表示」する演出は、再演出の段階数を示している。したがって、再演出の段階数から初期演出の段階数を引いた差は、「再演出として、ステップ１において、「ＳＴＥＰ１」と示された予告画像５３が存在する状態を表示し、ステップ２において、「ＳＴＥＰ１」と示された予告画像５３の左隣に「ＳＴＥＰ２」と示された予告画像５３が存在する状態を表示」する演出の後に、「ステップ４において、「ＳＴＥＰ１」と示された予告画像５３の左隣に、「ＳＴＥＰ２」と示された予告画像５３、「ＳＴＥＰ３」と示された予告画像５３、「ＳＴＥＰ４」と示された予告画像５３が順に存在する状態を表示」する演出を行うことにより、示されるといえる。
　そうすると、刊行物１発明においては、「初期演出の段階数が２段階で再演出の段階数が４段階の場合」のように、再演出の段階数から初期演出の段階数を引いた差が大きい場合には、「再演出として、ステップ１において、「ＳＴＥＰ１」と示された予告画像５３が存在する状態を表示し、ステップ２において、「ＳＴＥＰ１」と示された予告画像５３の左隣に「ＳＴＥＰ２」と示された予告画像５３が存在する状態を表示し、」「ステップ４において、「ＳＴＥＰ１」と示された予告画像５３の左隣に、「ＳＴＥＰ２」と示された予告画像５３、「ＳＴＥＰ３」と示された予告画像５３、「ＳＴＥＰ４」と示された予告画像５３が順に存在する状態を表示」して、再演出の段階数から初期演出の段階数を引いた差を示すことにより、遊技状態が遊技者にとって有利な遊技状態（特別遊技状態）となる可能性が高いことを報知しているといえ、このことは本件補正発明の「前記有利状態に制御される可能性が高いことを報知する」ことに相当する。
（ｆ−５）上記（ｆ−３）、（ｆ−４）での検討、及び上記（ｃ−７）での検討より刊行物１発明の「演出制御装置４０」は本件補正発明の「変更演出実行手段」としての機能を有することより、刊行物１発明の「演出制御装置４０」を「備え」、「演出制御装置４０は、」「再演出を実行し、初期演出の段階数が２段階で再演出の段階数が４段階の場合、再演出として、ステップ１において、「ＳＴＥＰ１」と示された予告画像５３が存在する状態を表示し、ステップ２において、「ＳＴＥＰ１」と示された予告画像５３の左隣に「ＳＴＥＰ２」と示された予告画像５３が存在する状態を表示し、」「ステップ４において、「ＳＴＥＰ１」と示された予告画像５３の左隣に、「ＳＴＥＰ２」と示された予告画像５３、「ＳＴＥＰ３」と示された予告画像５３、「ＳＴＥＰ４」と示された予告画像５３が順に存在する状態を表示し、」「演出制御装置４０は、再演出では、結果がはずれの場合よりも結果が当りの場合の方が、再演出におけるステップアップ演出の段階数から初期演出におけるステップアップ演出の段階数を引いた差が大きくなり易くし、再演出におけるステップアップ演出の段階数から初期演出におけるステップアップ演出の段階数を引いた差により、遊技状態が遊技者にとって有利な遊技状態（特別遊技状態）となる可能性の高さである信頼度を報知する、遊技機１００」は、本件補正発明の「前記変更演出実行手段は、前記予告演出の段階数を示す演出を、より多い段階数を示す演出に変更して表示することにより、前記有利状態に制御される可能性が高いことを報知する」「遊技機」に相当する。
　上記（ａ）〜（ｆ）の対比より、本件補正発明と刊行物１発明とは、次の点で一致している。
「Ａ　可変表示を行い、遊技者にとって有利な有利状態に制御可能な遊技機であって、
Ｂ　演出態様に応じて前記有利状態に制御される可能性を報知する報知演出を実行可能な報知演出実行手段と、
Ｃ’前記報知演出が終了した後の特定タイミングにて、前記報知演出実行手段により実行された前記報知演出の演出態様を示す演出を表示した後に、該表示した演出態様に対して他の表示画像の作用による演出を実行することにより前記有利状態に制御される可能性がより高い演出態様を示す演出に変更して表示する変更演出実行手段とを備え、
Ｄ　前記報知演出実行手段は、前記報知演出として、演出態様を１段階から複数段階まで段階的に変化させ、前記有利状態に制御される場合に前記有利状態に制御されない場合よりも高い割合で多い段階まで演出態様が変化する予告演出を実行可能であり、
Ｅ’特定演出を実行可能であり、
Ｆ　前記変更演出実行手段は、前記予告演出の段階数を示す演出を、より多い段階数を示す演出に変更して表示することにより、前記有利状態に制御される可能性が高いことを報知する、遊技機。」
　そして、本件補正発明と刊行物１発明とは、次の点で相違している。
（相違点１）
　「変更演出実行手段」が「前記報知演出が終了した後の特定タイミングにて」「前記報知演出実行手段により実行された前記報知演出の演出態様を示す演出を表示した後に、該表示した演出態様に対して他の表示画像の作用による演出を実行することにより前記有利状態に制御される可能性がより高い演出態様を示す演出に変更して表示する」ことに関して、本件補正発明は、遊技媒体の検出を条件とせずに行うのに対して、刊行物１発明は、演出用ゲートＳＷ４６で遊技球を検出した場合に行う点。（構成Ｃ）
（相違点２）
　本件補正発明においては、「前記予告演出の段階数に応じて、特定演出の実行割合が異な」るのに対して、刊行物１発明においては、「予告演出」の段階数に応じて、「スペシャルリーチ表示」の実行割合が異なることが特定されていない点。（構成Ｅ）
（４）判断
ア　上記相違点１について検討する。
　遊技機の技術分野において、段階数の少ないステップアップ演出を実行した後に、特段の条件なしに、当該段階数の少ないステップアップ演出の内容を含む、段階数がより多いステップアップ演出を実行することは、例えば、特開２０１０−４６２７４号公報（段落【０１５９】〜【０１６４】、図１１には、例えば、再変動３回の擬似連が実行される場合に、変動１回目にステップアップ予告として予告演出Ａのみが実行され、変動２回目にステップアップ予告として予告演出Ａから予告演出Ｂまで発展する予告演出が実行され、変動３回目にステップアップ予告として予告演出Ａから予告演出Ｃまで発展する予告演出が実行され、変動４回目にステップアップ予告として予告演出Ａから予告演出Ｄまで発展する予告演出が実行されるなど、１回の擬似連の中で、前回の再変動時のステップアップ予告の演出内容を含むステップアップ予告を行うことが記載されている。）、及び特開２０１０−１３７００３号公報（段落【０２２０】〜【０２２２】、図１９、図２０には、擬似連の変動開始から仮停止までの期間および各再変動中におけるステップアップ予告の態様（予告パターン）として、再変動の回数が増える毎に再変動中に実行されるステップアップ予告のステップ数が増える関係（規則性のある関係）である通常予告パターンを設け、例えば、再変動２回の予告パターンでは、変動開始から最初の仮停止までにステップ１のみのステップアップ予告を実行し、１回目の再変動でステップ１およびステップ２を実行するステップアップ予告を実行し、２回目の再変動でステップ１〜ステップ３を実行するステップアップ予告を実行するなど、１回の擬似連の中で、前回の再変動時のステップアップ予告の演出内容を含むステップアップ予告を行うことが記載されている。）に示されるように、本願の出願遡及日前における周知技術である。
　他方、刊行物１発明は、初期演出としてステップアップ演出を実行した後に、再演出として段階数がより多いステップアップ演出を実行するものである。
　そうすると、ステップアップ演出を実行した後に段階数がより多いステップアップ演出を実行することについての上記周知技術を刊行物１発明に適用して、遊技媒体の検出を条件とせずに再演出を実行するようにし、上記相違点１に係る本件補正発明の構成とすることは、当業者が容易に想到し得ることである。
イ　上記相違点２について検討する。
（ア）特開２０１０−４２１２２号公報においては、段落【００５９】−【００６０】、図８（ａ）、（ｂ）より、外れの場合、パターン抽選値０〜１０に「スーパー１」というスーパーリーチが対応付けられ、パターン抽選値１１〜２０に「スーパー２」というスーパーリーチが対応付けられ、１５Ｒ大当たりの場合、パターン抽選値０〜１２０に「スーパー１」が対応付けられ、パターン抽選値１２１〜２４０に「スーパー２」が対応付けられているから、「外れ」及び「１５Ｒ大当たり」のいずれの場合においても、「スーパー１」、「スーパー２」の実行割合はほぼ等しいといえる。
　また、段落【０１２１】−【０１２３】、図２４より、特殊予告演出の３段階に移り変わるシーンＳＮ１〜ＳＮ３について、ＳＮ１にて終了する確率、及びＳＮ２まで表示される確率は、「スーパー１」、「スーパー２」のいずれが選択されるときも、それぞれ１０％、２０％で互いに等しく、他方、ＳＮ３まで表示される確率は、「スーパー１」が選択されるときには４０％に、「スーパー２」が選択されるときには３０％に設定されている。
　したがって、ＳＮ１又はＳＮ２まで表示される場合、「スーパー１」、「スーパー２」の実行割合はそれぞれほぼ１／２ずつであるのに対して、ＳＮ３まで表示される場合、「スーパー１」の実行割合はほぼ４／７（４０／（４０＋３０））で、「スーパー２」の実行割合はほぼ３／７（３０／（４０＋３０））である。
　よって、特開２０１０−４２１２２号公報には、３段階に移り変わるシーンＳＮ１〜ＳＮ３のどの段階まで表示されるか（予告演出の段階数）に応じて、「スーパー１」、「スーパー２」（特定演出）の実行割合が異なることが記載されているといえる。
（イ）特開２０１０−１３７００３号公報の段落【０２２０】−【０２２２】、図１９、図２０から、変動開始から仮停止までの期間（再変動（１回目）の前）において、ステップアップ予告の「ステップ１」、「ステップ１，２」、「ステップ１〜３」は「（Ｃ）スーパーリーチ」以外（「（Ａ）非リーチはずれ」又は「（Ｂ）ノーマルリーチ」）において実行される可能性があるのに対して、「ステップ１〜４」は「（Ｃ）スーパーリーチ」においてのみ実行されることが把握できる。
　したがって、変動開始から仮停止までの期間において、ステップアップ予告の「ステップ１」、「ステップ１，２」、「ステップ１〜３」のいずれかが実行された場合の「（Ｃ）スーパーリーチ」の実行割合は１未満（「（Ｃ）スーパーリーチ」が実行されない可能性がある）であるのに対して、「ステップ１〜４」が実行された場合の「（Ｃ）スーパーリーチ」の実行割合は１（「（Ｃ）スーパーリーチ」が必ず実行される）であるから、特開２０１０−１３７００３号公報には、ステップアップ予告の段階数（予告演出の段階数）に応じて、「（Ｃ）スーパーリーチ」（特定演出）の実行割合が異なることが記載されているといえる。
（ウ）上記（ア）、（イ）に例示したように、予告演出の段階数に応じてリーチ演出の実行割合を異ならせることは、本願の出願遡及日前における周知技術である。
　したがって、下位の段階から上位の段階まで順次表示する予告演出（構成ｄ）、及びスペシャルリーチ表示を実行する刊行物１発明に、上記周知技術を適用して、予告演出の段階数に応じてスペシャルリーチ表示の実行割合が異なるようにし、上記相違点２に係る本件補正発明の構成とすることは、当業者が容易に想到し得ることである。
ウ　本件補正発明が奏する効果について　
　本件補正発明が奏する効果は、当業者が刊行物１発明及び上記ア、イで検討した各周知技術から予測しうる程度のものであって、格別のものではない。
（５）請求人の主張について
ア　審判請求書の「１．　補正事項の説明」「（１）」「イ．」には、「報知演出実行手段により実行された報知演出の演出態様を示す演出を実行した後に、該表示した演出態様に対して「他の表示画像の作用による演出」を実行することにより、有利状態に制御される可能性がより高い演出態様を示す演出に変更して表示するという事項を限定する補正を行いました。」、「そして、［図４０］−［図４１］には、例えば［図４０］（Ｂ）の演出画像（１個の星形記号を含んだ擬似連図柄）を、［図４０］（Ｃ）のように一旦左下に小さく表示し、矢印によって、変更された演出画像（２個の星形記号を含んだ擬似連図柄）へと導いているため、「該表示した演出態様に対して他の表示画像の作用による演出を実行することにより前記有利状態に制御される可能性がより高い演出態様を示す演出に変更して表示する」ことになります。」と記載され、「矢印」の表示が本件補正発明の「他の表示画像の作用による演出」に対応する旨の説明がなされている。
　しかしながら、上記「他の表示画像の作用による演出」が矢印の画像による演出であると限定して解釈する理由はない。
イ　請求人は、審判請求書の「３．　本願発明と引用発明との対比」の項において、「しかしながら、引用文献１には、再演出を実行する場合に、初期演出のステップアップ演出で実行された段階数といった、終了したステップアップ演出の演出態様を示す演出を表示することについて、開示や示唆となり得る記載がありません。」、また「本願の請求項１に係る発明では、変更演出実行手段による演出が行われることにより、終了した報知演出の演出態様を遊技者が確実に認識可能となり、・・・という有利な効果が得られます。」と主張している。
　しかしながら、上記（３）（ｃ−２）において検討したように、刊行物１発明の「初期演出の段階数が２段階で再演出の段階数が４段階の場合」において、「再演出として、ステップ１において、「ＳＴＥＰ１」と示された予告画像５３が存在する状態を表示し、ステップ２において、「ＳＴＥＰ１」と示された予告画像５３の左隣に「ＳＴＥＰ２」と示された予告画像５３が存在する状態を表示」する演出は、本件補正発明の「前記報知演出実行手段により実行された前記報知演出の演出態様を示す演出」に相当し、終了した初期演出のステップアップ演出の演出態様を示す演出である。したがって、刊行物１には、「再演出を実行する場合に、初期演出のステップアップ演出で実行された段階数といった、終了したステップアップ演出の演出態様を示す演出を表示すること」について記載されているといえる。
　また、本件補正発明は「前記報知演出の演出態様を示す演出を表示」するものであるが、その後の「他の表示画像の作用による演出」との区切りが曖昧であるなど、報知演出の演出態様の認識が遊技者にとって困難であるものを含みうるから、請求人の主張する「終了した報知演出の演出態様を遊技者が確実に認識可能とな」るという効果は、本件補正発明において必ずしも得られるものではない。加えて、刊行物１発明は、「初期演出でのステップアップ演出で実行された段階数より信頼度が高い段階数まで、ステップアップ演出である再演出を実行」して、「再演出時には信頼度が高まったことを確実に遊技者に報知することができる」（段落【００２０】）ものであるから、再演出において、初期演出の段階数と同じ段階数まで演出が進んだ時点で、終了した初期演出の態様を遊技者が認識することに困難性はないといえる。
　よって、請求人が主張する「有利な効果」は、本件補正発明において必ずしも得られるものとはいえず、かつ刊行物１発明においても得られるものであるから、請求人の主張は採用することができない。
ウ　請求人は、審判請求書の「３．　本願発明と引用発明との対比」の項において、「引用文献１に記載された再演出は、初期演出と同様のステップアップ演出を最初から繰り返して、初期演出で実行された段階数以上の段階数まで実行するので、遊技者に飽きが生じやすく、遊技者の興味が低下しやすくなるという問題も生じます。」とした上で、「本願の請求項１に係る発明では、変更演出実行手段による演出が行われることにより、・・・、報知演出の繰り返し実行を防止してメリハリのある演出を実行し、遊技者の期待感や興味を円滑に高めて、・・・という有利な効果が得られます。」と主張している。
　しかしながら、本件補正発明の「前記報知演出実行手段により実行された前記報知演出の演出態様を示す演出」には、報知演出と同じ演出を繰り返すことによって報知演出の演出態様を示すような演出も含まれるといえるから、請求人の主張する「報知演出の繰り返し実行を防止してメリハリのある演出を実行し、遊技者の期待感や興味を円滑に高め」るという効果は、本件補正発明において必ずしも得られるものではない。加えて、刊行物１発明の再演出は、初期演出で実行された段階数までは初期演出と同じ演出を行うものの、それより先は初期演出とは異なる演出を行うものであるから、刊行物１発明は、全く同じ演出を繰り返し実行するものではなく、メリハリのある演出を実行するものといえる。さらに、刊行物１発明は、再演出を実行することにより、「遊技者の遊技に対する興趣と共に期待感を高めることができる。」（段落【００８２】）という効果が得られるものであるから、請求人の主張する「遊技者の期待感や興味を円滑に高め」るという効果と同じ効果が得られるものである。
　よって、請求人が主張する「有利な効果」は、本件補正発明において必ずしも得られるものとはいえず、かつ刊行物１発明においても得られるものであるから、請求人の主張は採用することができない。
（６）まとめ
　以上のように、本件補正発明は、当業者が刊行物１発明、及び周知技術に基づいて容易に発明をすることができたものであるから、特許法第２９条第２項の規定により、特許出願の際独立して特許を受けることができない。
４　補正却下の決定についてのむすび
　したがって、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明について　
１　本願発明　
　本件補正は上記のとおり却下されたので、本願の請求項１に係る発明（以下、「本願発明」という。）は、平成２８年１１月２日付け手続補正書により補正された特許請求の範囲の請求項１に記載された事項により特定される次のとおりのものである（ただし、Ａ〜Ｆは、分説するために当審で付した。）。
「【請求項１】
Ａ　可変表示を行い、遊技者にとって有利な有利状態に制御可能な遊技機であって、
Ｂ　演出態様に応じて前記有利状態に制御される可能性を報知する報知演出を実行可能な報知演出実行手段と、
Ｃ’’前記報知演出が終了した後の特定タイミングにて、前記報知演出実行手段により実行された前記報知演出の演出態様を示す演出を表示した後に、該表示した演出態様に対して所定の作用を実行することにより前記有利状態に制御される可能性がより高い演出態様を示す演出に変更して表示する変更演出実行手段とを備え、
Ｄ　前記報知演出実行手段は、前記報知演出として、演出態様を１段階から複数段階まで段階的に変化させ、前記有利状態に制御される場合に前記有利状態に制御されない場合よりも高い割合で多い段階まで演出態様が変化する予告演出を実行可能であり、
Ｅ　前記予告演出の段階数に応じて、特定演出の実行割合が異なり、
Ｆ　前記変更演出実行手段は、前記予告演出の段階数を示す演出を、より多い段階数を示す演出に変更して表示することにより、前記有利状態に制御される可能性が高いことを報知する、
　ことを特徴とする遊技機。」
２　刊行物　
　刊行物１の記載事項並びに刊行物１発明は、構成「ａ」、「ｂ」、「ｄ」、「ｆ」については上記「第２　３（２）」において認定したとおりであり、構成「ｃ’、ｆ」、「ｅ」については改めて認定する。
　刊行物１には、「第２　３（２）」で検討した（ア）〜（ケ）の記載事項、（コ）〜（シ）の図面に関する認定に加えて、次の事項が記載されている。
（ス）「【００８３】
　また、再演出を行う時間が、前半変動時間において当該再演出と同様の演出を行う場合に必要な時間よりも短い場合には、
再演出
単位演出をなす予告画像５３
単位演出の表示後に次の単位演出を表示するまでの時間を変更
短く
（セ）「【００８７】
　その後、演出用ゲートＳＷ４６で遊技球の検出を有効とする有効期間の長さである有効時間を決定する処理（ステップＳ３）を行う。有効時間を決定する処理（ステップＳ３）では、結果情報を取得する処理（ステップＳ２）で取得した
特図変動表示ゲームの結果に基づき有効時間を決定する。具体的には、図６に示すような割合となっており、例えば、結果が外れの場合は、有効時間として５秒を選択する確率が５０％、１０秒を選択する確率が３０％、１５秒を選択する確率が１５％、２０秒を選択する確率が５％となっている。
【００８８】
　これにより、結果が特別結果態様となる場合の方が、演出用ゲートＳＷ４６で遊技球が検出され易くなるので再演出が実行され易くなり、演出により特別結果態様が導出される際の興趣を効果的に向上できるようになる。また、有効時間の長さにより特別結果態様となる可能性の高さである信頼度が遊技者に報知されることにもなり、有効期間における興趣を向上できる。なお、
有効時間として最も長い２０秒が選択された場合は、スペシャルリーチ表示の背景として特別な画像（ムービー）を表示するようにする。
　上記「第２　３（２）」の記載事項（カ）、及び上記記載事項（セ）から、図面に関して以下の事項が導かれる。
（ソ）上記段落【００８７】の「特図変動表示ゲームの結果に基づき有効時間を決定する。具体的には、図６に示すような割合となっており、例えば、結果が外れの場合は、有効時間として５秒を選択する確率が５０％、１０秒を選択する確率が３０％、１５秒を選択する確率が１５％、２０秒を選択する確率が５％となっている。」との記載より、刊行物１には、結果が外れの場合は、有効時間として５秒を選択する確率が５０％、１０秒を選択する確率が３０％、１５秒を選択する確率が１５％、２０秒を選択する確率が５％となっていることが記載されているといえる。
　また、図６から、上記「結果が外れの場合」と同様に結果が当りの場合について読み取ると、刊行物１には、結果が当りの場合は、有効時間として５秒を選択する確率が３０％、１０秒を選択する確率が４０％、１５秒を選択する確率が１５％、２０秒を選択する確率が１５％となっていることが記載されているといえる。
（タ）上記段落【００９０】の「例えば、図７（ａ）に示すように、結果が外れの場合であって選択された有効時間が５秒である場合は、初期ステップとして１が選択される確率が６０％、２が選択される確率が３５％、３が選択される確率が５％、４が選択される確率が０％となっている。」との記載、上記段落【００９１】の「結果が外れの場合であって選択された有効時間が２０秒である場合は、初期ステップとして１が選択される確率が３０％、２が選択される確率が４５％、３が選択される確率が１８％、４が選択される確率が７％となっている。」との記載より、刊行物１には、結果が外れの場合について、選択された有効時間が５秒である場合は、初期ステップとして１が選択される確率が６０％、２が選択される確率が３５％、３が選択される確率が５％、４が選択される確率が０％となっていること、及び選択された有効時間が２０秒である場合は、初期ステップとして１が選択される確率が３０％、２が選択される確率が４５％、３が選択される確率が１８％、４が選択される確率が７％となっていることが記載されているといえる。また、図７（ａ）から、同様に、選択された有効時間が１０秒、１５秒の場合について読み取ると、刊行物１には、結果が外れの場合について、選択された有効時間が１０秒である場合は、初期ステップとして１が選択される確率が５０％、２が選択される確率が４０％、３が選択される確率が７％、４が選択される確率が３％となっていること、及び選択された有効時間が１５秒である場合は、初期ステップとして１が選択される確率が４０％、２が選択される確率が４０％、３が選択される確率が１５％、４が選択される確率が５％となっていることが記載されているといえる。
　さらに、図７（ｂ）から、結果が当りの場合についても読み取ると、刊行物１には、結果が当りの場合について、選択された有効時間が５秒である場合は、初期ステップとして１が選択される確率が５０％、２が選択される確率が４０％、３が選択される確率が７％、４が選択される確率が３％となっていること、選択された有効時間が１０秒である場合は、初期ステップとして１が選択される確率が４０％、２が選択される確率が４５％、３が選択される確率が１０％、４が選択される確率が５％となっていること、選択された有効時間が１５秒である場合は、初期ステップとして１が選択される確率が３０％、２が選択される確率が５０％、３が選択される確率が１３％、４が選択される確率が７％となっていること、選択された有効時間が２０秒である場合は、初期ステップとして１が選択される確率が２０％、２が選択される確率が５５％、３が選択される確率が１５％、４が選択される確率が１０％となっていることが記載されているといえる。
　上記「第２　３（２）」の記載事項（カ）、上記記載事項（セ）、及び上記（ソ）、（タ）の図面に関する認定から、以下の事項が導かれる。
（お）
（お−１）上記（ソ）、（タ）で認定された確率より、結果が外れの場合に関して、初期ステップとして１が選択された場合に有効時間が２０秒である割合は、計算式（５／１００＊３０／１００）／（５０／１００＊６０／１００＋３０／１００＊５０／１００＋１５／１００＊４０／１００＋５／１００＊３０／１００）により、１／３５（約２．９％）と求められる。また、同様の計算により、結果が外れの場合に関して、初期ステップとして２、３、４が選択された場合に有効時間が２０秒である割合は、それぞれ、９／１５１（約６．０％）、１８／１５５（約１１．６％）、７／４０（１７．５％）と求められる。したがって、結果が外れの場合に関して、初期ステップに応じて有効時間が２０秒である割合が異なることは明らかである。
　さらに、上記（ソ）、（タ）で認定された確率より、結果が当りの場合に関しても同様の計算を行うと、初期ステップとして１、２、３、４が選択された場合に有効時間が２０秒である割合は、それぞれ６／７７（約７．８％）、１１／６１（約１８．０％）、４５／２０６（約２１．８％）、３０／１０９（約２７．５％）と求められる。したがって、結果が当りの場合に関しても、初期ステップに応じて有効時間が２０秒である割合が異なることは明らかである。
　よって、刊行物１には、初期ステップに応じて、有効時間が２０秒である割合が異なることが記載されているといえる。
（お−２）上記（お−１）での検討、及び上記段落【００８８】の「有効時間として最も長い２０秒が選択された場合は、スペシャルリーチ表示の背景として特別な画像（ムービー）を表示するようにする。」との記載より、刊行物１には、初期ステップに応じて、スペシャルリーチ表示の背景として特別な画像（ムービー）を表示する割合が異なることが記載されているといえる。
（お−３）上記段落【００８９】の「初期演出におけるステップアップ演出で実行する段階数である初期ステップ」との記載、及び上記「第２　３（２）（う−３）」での検討より初期演出は予告演出として実行されることより、刊行物１において、「初期ステップ」は、予告演出の段階数のことであるといえる。
（お−４）上記（お−２）、（お−３）での検討より、刊行物１には、
予告演出の段階数に応じて、スペシャルリーチ表示の背景として特別な画像（ムービー）を表示する割合が異な
　したがって、刊行物１には、次の発明（以下、「刊行物１’発明」という。）が記載されていると認められる（記号ａ〜ｆは、本願発明の記号Ａ〜Ｆに対応させて付した。）。
「ａ　表示状態が変化可能な表示装置４３を有し、該表示装置４３が時期を異ならせて複数の表示結果を導出表示し、該複数の表示結果が予め定められた特別結果態様となった場合に、遊技状態が遊技者にとって有利な遊技状態（特別遊技状態）となる遊技機１００であって、（段落【００５１】、【００６７】）
ｂ　遊技機１００が備える演出制御装置４０は、リーチ状態となるまでの前半変動時間において、予告画像５３により遊技状態が遊技者にとって有利な遊技状態（特別遊技状態）となる可能性の高さである信頼度が遊技者に報知される初期演出を実行し、初期演出として２段階目まで実行されるステップアップ演出の場合、ステップ１において、「ＳＴＥＰ１」と示された予告画像５３が存在する状態を表示し、ステップ２において、「ＳＴＥＰ１」と示された予告画像５３の左隣に「ＳＴＥＰ２」と示された予告画像５３が存在する状態を表示し、（認定事項（あ））
ｃ、ｆ　演出制御装置４０は、前半変動時間が終了して開始される有効期間において演出用ゲートＳＷ４６で遊技球を検出した場合は、初期演出でのステップアップ演出で実行された段階数より信頼度が高い段階数まで、ステップアップ演出である再演出を実行し、初期演出の段階数が２段階で再演出の段階数が４段階の場合、再演出として、ステップ１において、「ＳＴＥＰ１」と示された予告画像５３が存在する状態を表示し、ステップ２において、「ＳＴＥＰ１」と示された予告画像５３の左隣に「ＳＴＥＰ２」と示された予告画像５３が存在する状態を表示し、ステップ３において、ステップ２で表示した「ＳＴＥＰ１」と示された予告画像５３、及びその左隣に存在する「ＳＴＥＰ２」と示された予告画像５３に対して、その左隣に「ＳＴＥＰ３」と示された予告画像５３を追加して表示し、ステップ４において、「ＳＴＥＰ１」と示された予告画像５３の左隣に、「ＳＴＥＰ２」と示された予告画像５３、「ＳＴＥＰ３」と示された予告画像５３、「ＳＴＥＰ４」と示された予告画像５３が順に存在する状態を表示し、再演出では、単位演出をなす予告画像５３の表示後に次の単位演出をなす予告画像５３を表示するまでの時間を短く変更し、（認定事項（い）、段落【００８３】）
ｄ　演出制御装置４０は、初期演出として、段階に応じた単位演出をなす予告画像５３を下位の段階（ステップ１）から上位の段階まで順次表示し、より上位の段階まで演出が進行すれば、遊技状態が遊技者にとって有利な遊技状態（特別遊技状態）となる可能性の高さである信頼度が高いことを示唆する予告演出を実行し、（認定事項（う））
ｅ　予告演出の段階数に応じて、スペシャルリーチ表示の背景として特別な画像（ムービー）を表示する割合が異なり、（認定事項（お））
ｆ　演出制御装置４０は、再演出では、結果がはずれの場合よりも結果が当りの場合の方が、再演出におけるステップアップ演出の段階数から初期演出におけるステップアップ演出の段階数を引いた差が大きくなり易くし、再演出におけるステップアップ演出の段階数から初期演出におけるステップアップ演出の段階数を引いた差により、遊技状態が遊技者にとって有利な遊技状態（特別遊技状態）となる可能性の高さである信頼度を報知する、（認定事項（え））
遊技機１００。（段落【００５１】）」
３　対比・判断
　本願発明は、上記「第２　３（１）」で検討した本件補正発明から、「変更演出実行手段」に関して、「遊技媒体の検出を条件とせずに、」との限定を省き、また「他の表示画像の作用による演出」との限定を省いて「所定の作用」としたものである。
　本願発明と刊行物１’発明とを対比する。
（１）上記「第２　３（３）」における検討をふまえると、刊行物１’発明は、本願発明の構成Ａ、Ｂ、Ｄ、Ｆに相当する構成を有している。
　
（２）本願発明の構成Ｃ’’と、刊行物１’発明の構成ｃ、ｆとを対比する。
　刊行物１’発明は、「再演出では、単位演出をなす予告画像５３の表示後に次の単位演出をなす予告画像５３を表示するまでの時間を短く変更」するものであるから、「ステップ１において、「ＳＴＥＰ１」と示された予告画像５３が存在する状態を表示し、ステップ２において、「ＳＴＥＰ１」と示された予告画像５３の左隣に「ＳＴＥＰ２」と示された予告画像５３が存在する状態を表示」する演出での予告画像５３に関して、「単位演出をなす予告画像５３の表示後に次の単位演出をなす予告画像５３を表示するまでの時間を短く変更」するという作用が実行され、それにより、その後の信頼度がより高い「ＳＴＥＰ３」や「ＳＴＥＰ４」と示された予告画像５３による演出に変更して表示されるものと見ることができる。
　このことと、上記「第２　３（３）」の（ｃ−１）〜（ｃ−３）、（ｃ−５）での検討より、刊行物１’発明の「前半変動時間が終了して開始される有効期間において演出用ゲートＳＷ４６で遊技球を検出した場合は、初期演出でのステップアップ演出で実行された段階数より信頼度が高い段階数まで、ステップアップ演出である再演出を実行し、初期演出の段階数が２段階で再演出の段階数が４段階の場合、再演出として、ステップ１において、「ＳＴＥＰ１」と示された予告画像５３が存在する状態を表示し、ステップ２において、「ＳＴＥＰ１」と示された予告画像５３の左隣に「ＳＴＥＰ２」と示された予告画像５３が存在する状態を表示し、ステップ３において、ステップ２で表示した「ＳＴＥＰ１」と示された予告画像５３、及びその左隣に存在する「ＳＴＥＰ２」と示された予告画像５３に対して、その左隣に「ＳＴＥＰ３」と示された予告画像５３を追加して表示し、ステップ４において、「ＳＴＥＰ１」と示された予告画像５３の左隣に、「ＳＴＥＰ２」と示された予告画像５３、「ＳＴＥＰ３」と示された予告画像５３、「ＳＴＥＰ４」と示された予告画像５３が順に存在する状態を表示し、再演出では、単位演出をなす予告画像５３の表示後に次の単位演出をなす予告画像５３を表示するまでの時間を短く変更」する「演出制御装置４０」は、本願発明の「前記報知演出が終了した後の特定タイミングにて、前記報知演出実行手段により実行された前記報知演出の演出態様を示す演出を表示した後に、該表示した演出態様に対して所定の作用を実行することにより前記有利状態に制御される可能性がより高い演出態様を示す演出に変更して表示する変更演出実行手段」（構成Ｃ’’）としての機能を有する。
（３）本願発明の構成Ｅと、刊行物１’発明の構成ｅとを対比する。
　刊行物１’発明の構成ｅの「予告演出の段階数に応じて」、「スペシャルリーチ表示の背景として」の「特別な画像（ムービー）」は、それぞれ本願発明の構成Ｅの「前記予告演出の段階数に応じて」、「特定演出」に相当する。
　したがって、刊行物１’発明の構成ｅの「予告演出の段階数に応じて、スペシャルリーチ表示の背景として特別な画像（ムービー）を表示する割合が異なり」は、本願発明の構成Ｅの「前記予告演出の段階数に応じて、特定演出の実行割合が異なり」に相当する。
　上記（１）〜（３）の対比より、本願発明と刊行物１’発明とは、
「Ａ　可変表示を行い、遊技者にとって有利な有利状態に制御可能な遊技機であって、
Ｂ　演出態様に応じて前記有利状態に制御される可能性を報知する報知演出を実行可能な報知演出実行手段と、
Ｃ’’前記報知演出が終了した後の特定タイミングにて、前記報知演出実行手段により実行された前記報知演出の演出態様を示す演出を表示した後に、該表示した演出態様に対して所定の作用を実行することにより前記有利状態に制御される可能性がより高い演出態様を示す演出に変更して表示する変更演出実行手段とを備え、
Ｄ　前記報知演出実行手段は、前記報知演出として、演出態様を１段階から複数段階まで段階的に変化させ、前記有利状態に制御される場合に前記有利状態に制御されない場合よりも高い割合で多い段階まで演出態様が変化する予告演出を実行可能であり、
Ｅ　前記予告演出の段階数に応じて、特定演出の実行割合が異なり、
Ｆ　前記変更演出実行手段は、前記予告演出の段階数を示す演出を、より多い段階数を示す演出に変更して表示することにより、前記有利状態に制御される可能性が高いことを報知する、遊技機。」
の点で一致しており、相違点はない。
　したがって、本願発明は刊行物１’発明である。
　また、仮に相違点があったとしても、本願発明は当業者が刊行物１’発明に基づいて容易に発明をすることができたものである。
４　むすび
　以上のとおりであるから、本願発明は、特許法第２９条第１項第３号に該当し、または同条第２項の規定により、特許を受けることができない。 
　したがって、本願は拒絶されるべきものである。　
　よって、結論のとおり審決する。